【事件の表示】
　平成６年特許願第１４２２０１号「中空容器用樹脂組成物およびその組成物からなる中空容器」拒絶査定不服審判事件〔平成７年１２月１９日出願公開、特開平７−３３０９７３〕について、次のとおり審決する。
【結　論】
　本件審判の請求は、成り立たない。
【理　由】
１．手続の経緯及び本願発明
　本願は平成６年６月２日の出願であって、平成１５年５月１６日付けで拒絶査定がなされ、これに対し、同年６月１９日に拒絶査定に対する審判請求がなされるとともに、同年７月７日付けで手続補正がなされ、その後、平成１６年３月２日付けで拒絶理由が通知されたが、その指定期間内には意見書等の提出がなされなかったものである。
　
　そして、本願請求項１〜１２に係る発明は、平成１５年４月２８日付け及び平成１５年７月７日付けの手続補正書により補正された明細書の記載からみて、その特許請求の範囲の請求項１〜１２に記載されたとおりのものであり、その請求項１に係る発明（以下、「本願発明」という。）は、次のとおりのものである。
　
「【請求項１】　成形品に対応するパリソンにおいてブロー比が大きく異なる部分を有するパリソンに空気を吹き込み成形してなる偏肉の少ない中空容器を製造するための樹脂組成物であって、前記樹脂組成物は、
　（Ａ）ポリエチレン　　　　　　　　　　　　　　　　１００重量部
　（Ｂ）ジベンジリデンソルビトールを除く造核剤０．０５〜１重量部
を含むことを特徴する中空容器用樹脂組成物。」
　
２．引用文献及び記載事項
　平成１６年３月２日付けの拒絶理由に引用された本願出願日前に頒布された刊行物である特開平５−３１０２４１号公報（以下、「引用例８」という。）及び特開平４−２８５６４５号公報（以下、「引用例１０」という。）には、次の技術事項が記載されている。
　
摘記１：引用例８の段落０００７〜００２０
「【０００７】　…本発明のポリエチレン樹脂製中空成形容器を構成する樹脂素材としては、該ポリエチレン樹脂製中空成形容器の外表面層の素材に後記特定なエチレン系重合体樹脂組成物を用いる以外は、基本的に主成分がポリエチレン樹脂からなるものである。該ポリエチレン樹脂としては、特に制約が無く、公知のポリエチレン樹脂、例えばエチレン単独重合体若しくはエチレン・α−オレフィン共重合体等のポリエチレン樹脂を挙げることができる。…
　【００１２】　…上記エチレン系重合体樹脂組成物を構成する成分…は、メルトフローレートが３．０〜５０ｇ／１０分…の範囲内にあり、…メルトフローレートが上記範囲を超えるものは、エチレン系重合体樹脂組成物のドローダウンが大きくなり、容器の肉厚均一度やＥＳＣＲ（耐環境応力亀裂性）等の強度における物性面でも強度の低下を招く虞がある。…
　【００１５】　…上記エチレン系重合体樹脂組成物を原料として用いて中空成形容器を成形するための中空成形方法は、…押出機タイプの中空成形機にて加熱溶融させた後、ダイより溶融パリソンとして押し出し、次いで、このパリソンを金型で挟み、該パリソン内部に空気を吹き込むことにより行なわれる。…
　【００１８】　…添加剤や配合剤成分としては、…ベンジリデンソルビトール系の結晶化核剤が本発明のポリエチレン樹脂製中空成形容器におけるポリエチレン樹脂の添加剤として好適に併用することができるものとして挙げられる。
　【００２０】　…実施例１〜５及び比較例１〜５…２００℃の成形温度で偏平中空ボトル（無い容積７００ｃｃ、肉厚０．５ｍｍｔ）を成形し、中空成形容器を製造した。」
　
摘記２：引用例１０の段落０００３〜０００９
「【０００３】　…ポリオレフィンの透明性を向上させるために、種々の造核剤が提供されている。それらのうちソルビトール系化合物の造核剤として、例えば…アルキル置換ベンジリデンソルビートル…は透明性の向上はかなり良好であるが、臭気の発生を伴うため、特に食品容器、包装材料などに用いるポリオレフィンには問題を有する。
　【０００４】　…本発明者は、上記した問題点を解決するために鋭意研究した。その結果、ソルビトール系化合物のうちで特にナフチル置換したソルビトール系化合物がポリオレフィンの造核剤として透明性の向上に有効であるとともに、臭気の発生も極めて軽減である効果の知見に基づき、本発明を提供するに至ったものである。…
　【０００６】　本発明の…ポリオレフィンとしては、一般にエチレン…のポリマーであり、…例えばエチレン…など他のα−オレフィン単独重合体…も用いられる。…
　【０００９】　本発明においては、ポリオレフィン１００重量部に対して透明化剤を０．０１〜１重量部、好ましくは０．０５〜０．５重量部を配合する」
　
摘記３：引用例１０の段落００１６〜００１７
「【００１６】　…本発明の透明化剤である１・３，２・４−ビス（２−ナフチルメチレン）ソルビートを用いて、…組成物を調製した。なお、比較のために、従来公知の透明化剤（造核剤）を用いて、同様に…組成物を調製した。…
（２）造核剤
　Ａ：ビス（４−ｔ−ブチルフェニル）リン酸ナトリウム
　Ｂ：ｐ−ｔ−ブチル安息香酸アルミニウム
　Ｃ：１・３，２・４−ジベンジリデンソルビトール
　Ｄ：１・３，２・４−ジ（ｐ−メチルベンジリデン）ソルビトール
　Ｅ：１・３，２・４−ビス（２−ナフチルメチレン）ソルビトール…
　【００１７】…（…１：かすかに感じる、…４：非常に強く感じる、５：極端に強く感じる）【表１】
　　　　　　Ａ　　　　Ｂ　　　　Ｃ　　　　Ｄ　　　　Ｅ　 … 臭気強度
　　　　 (重量部)　(重量部)　(重量部)　(重量部)　(重量部)　　  …
比較例１　　−　　　　−　　　　−　　　　−　　　　−　　 …　１
比較例２　０．２　　　−　　　　−　　　　−　　　　−　　 …　１
比較例３　　−　　　０．２　　　−　　　　−　　　　−　　 …　１
比較例４　　−　　　　−　　　０．２　　　−　　　　−　　 …　４
比較例５　　−　　　　−　　　　−　　　０．２　　　−　　 …　５
実施例１　　−　　　　−　　　　−　　　　−　　　０．２　 …　１
実施例２　　−　　　　−　　　　−　　　　−　　　０．３　 …　１ 」
　
３．対比・判断
　本願発明と引用例８に記載された発明とを比較する。
　
　引用例８には、上記摘記１からみて、「中空成形容器を成形するため、…ダイより溶融パリソンとして押し出し、次いで、このパリソンを金型で挟み、該パリソン内部に空気を吹き込む」（段落００１５）、「実施例１〜５…偏平中空ボトル（…肉厚０．５ｍｍｔ）を成形し、中空成形容器を製造」（段落００２０）、「本発明のポリエチレン樹脂製中空成形容器を構成する樹脂素材としては、…例えばエチレン単独重合体若しくはエチレン・α−オレフィン共重合体等のポリエチレン樹脂」（段落０００７）、「エチレン系重合体樹脂組成物を構成する成分…は、メルトフローレートが３．０〜５０ｇ／１０分…の範囲内にあり、…メルトフローレートが上記範囲を超えるものは、…容器の肉厚均一度やＥＳＣＲ（耐環境応力亀裂性）等の強度における物性面でも強度の低下を招く虞がある」（段落００１２）、「添加剤や配合剤成分としては、…ベンジリデンソルビトール系の結晶化核剤が本発明のポリエチレン樹脂製中空成形容器におけるポリエチレン樹脂の添加剤として好適に併用することができる」（段落００１８）との記載があり、引用例８には、「偏平中空ボトルの金型にパリソンを挟み、該パリソン内部に空気を吹き込み、肉厚０．５ｍｍｔという均一な肉厚の偏平中空ボトルを製造するための樹脂素材であって、当該樹脂素材はエチレン単独重合体若しくはエチレン・α−オレフィン共重合体等のポリエチレン樹脂に、ベンジリデンソルビトール系の結晶化核剤を添加剤として併用するポリエチレン樹脂製中空成形容器を構成する樹脂素材」が実質的に記載されているものと認められる。
　
　ここで、引用例８の「中空成形容器」ないし「偏平中空ボトル」は本願発明の「成形品」に相当し、引用例８の『「偏平中空ボトル」等の「金型」に挟まれる「パリソン」』は本願発明の「成形品に対応するパリソン」に相当し、引用例８の「偏平中空ボトル」は、偏平な形状であるから「ブロー比が大きく異なる部分を有する」ものと解され、かつ、「肉厚均一度」の低下を招く虞がない樹脂組成物によって「肉厚０．５ｍｍｔ」に成形されるものであるから本願発明の「偏肉の少ない中空容器」に相当するものと解され、引用例８の「エチレン単独重合体若しくはエチレン・α−オレフィン共重合体等のポリエチレン樹脂」は、本願明細書の段落００２３の「本発明のポリエチレンとしてエチレン・α−オレフィン共重合体を用いる場合」との記載からみて、本願発明の「（Ａ）ポリエチレン」に該当するものと解され、引用例８の「結晶化核剤」は本願発明の「（Ｂ）造核剤」に該当するものと解され、引用例８の「ポリエチレン樹脂製中空成形容器を構成する樹脂素材」は本願発明の「中空容器用樹脂組成物」に該当するものと解される。
　
　してみると、本願発明と引用例８に記載された発明とは、「成形品に対応するパリソンにおいてブロー比が大きく異なる部分を有するパリソンに空気を吹き込み成形してなる偏肉の少ない中空容器を製造するための樹脂組成物であって、前記樹脂組成物は、（Ａ）ポリエチレンと（Ｂ）造核剤、を含む中空容器用樹脂組成物。」である点で一致し、（イ）造核剤が、本願発明においては、ジベンジリデンソルビトールを除く造核剤であるのに対して、引用例８記載の発明においては、ベンジリデンソルビトール系の造核剤である点、（ロ）造核剤の添加量が、本願発明においては、ポリエチレン１００重量部に対して造核剤を０．０５〜１重量部を含むのに対して、引用例８記載の発明においては、造核剤の添加量について記載がない点、の２つの点で相違する。
　
　上記相違点について検討する。
　
　相違点（イ）について、本願出願当初明細書の段落００２５（補正明細書の段落００３０）には、「ソルビトール誘導体としては、例えばジベンジリデンソルビトール、１，３，２，４−ジ−（メチルベンジリデン）ソルビトール、１，３，２，４−（エチルベンジリデン）ソルビトール、１，３，２，４−（メトキシベンジリデン）ソルビトール、１，３，２，４−（エトキシベンジリデン）ソルビトールなどを挙げることができる。」と記載されているところ、本願発明の「ジベンジリデンソルビトールを除く造核剤」としては、１，３，２，４−ジ−（メチルベンジリデン）ソルビトール等のベンジリデンソルビトール系の造核剤が含まれるので、相違点（イ）について本願発明と引用例８記載の発明とに実質的な差異は認められない。
　
　相違点（ロ）について、引用例１０には、上記摘記２からみて、ポリオレフィン１００重量部に対して透明化剤（造核剤）を０．０１〜１重量部、好ましくは０．０５〜０．５重量部を配合することが記載されており（段落０００９）、特開平２−６９５４０号公報の第１頁左下欄第５〜７行の「結晶性ポリオレフィン１００重量部に対して、ジベンジリデンソルビトール系化合物…を０．０１〜１重量部」との記載、特開平３−２１７４４１号公報の第５頁右上欄第５〜９行の「芳香族カルボン酸のアルミニウム塩…の添加量は合成樹脂１００重量部に対し、…０．０５〜３重量部である。」との記載、特開昭６３−３３４４８号公報の第４頁右上欄第４〜５行の「好ましい造核剤の添加量は０．１〜５．０重量部である。」との記載、特公昭６２−４７２１７号公報の第４欄第８〜９行の「造核剤はポリオレフィン系樹脂１００重量部に対して０．００１〜１．０重量部」との記載、特開平５−２１０２１７号公報の第６欄第３９〜４０行の「造核剤を０．０１〜２．０重量％含むポリオレフィン系樹脂組成物を用いた…容器」との記載からみて、本願発明の造核剤の添加量は単に通常の数値範囲を示したにすぎないものと解されるので、引用例８記載の発明における造核剤の添加量を、ポリエチレン１００重量部に対して０．０５〜１重量部の範囲とすることに格別の困難性は認められない。
　
　そして、本願発明の作用効果について検討するに、上記摘記３からみて、１，３，２，４−ジ−（メチルベンジリデン）ソルビトールを用いた比較例５の臭気強度が５（極端に強く感じる）であるのに対して、ジベンジリデンソルビトールを用いた比較例４の臭気強度は４（非常に強く感じる）であるので、平成１５年７月７日付けの手続補正書で補正された審判請求書の『すら（な）わち補正前の実施例６および実施例１２においては、造核剤としてジベンジリデンソルビトールを使用しておりますが、成形品の臭気の評価結果が△（やや臭気が感じられる）であり、ジベンジリデンソルビトール以外の造核剤を使用した補正前の他の実施例の成形品の臭気の評価結果が○（特に臭気は感じられない）であり、比較して劣る結果が得られました。これらに基づいて「ジベンジリデンソルビトールを除く造核剤」とする補正を行いました。』との主張を参酌しても、ジベンジリデンソルビトールを除く造核剤に限定した点に格別予想外の顕著な作用効果があるとは認められない。
　
　したがって、本願発明は、本願出願前に頒布された刊行物である引用例８及び１０に記載された発明に基づいて、当業者が容易に発明をすることができたものである。
　
４．むすび
　以上のとおり、本願発明は、引用例８及び１０に記載された発明に基づいて、当業者が容易に発明をすることができたものであるから、特許法第２９条第２項の規定により特許を受けることができず、その余の請求項に係る発明について検討するまでもなく、本願は拒絶すべきものである。
　よって、結論のとおり審決する。